(57)【特許請求の範囲】
【請求項１】
容器の外側を区画し、縦長長方形状の主面壁及び背面壁を有し、直方体形状をなす外箱と、
前記外箱内に収容され、縦長長方形状の主面壁、背面壁及び一対の側面壁を有する角筒状に構成されていて、所定の内容物を収容するための収容室を区画するインナースリーブと、
前記インナースリーブの背面壁と前記外箱の背面壁との間に区画された相対的に間隔が狭い隙間であって、前記外箱背面壁の内面と前記インナースリーブ背面壁の外面との対向する面方向に拡がりを有する薄片収容室と、を備えており、
前記外箱背面壁には、薄片を収容および取り出すための取出窓が形成されており、当該取出窓の縦幅は薄片の縦幅と等しいか、または薄片の縦幅よりも０〜２割大きくされ、当該取出窓の横幅は薄片の横幅よりも短くされており、
前記薄片収容室に収容される薄片は、所定寸法の縦幅および横幅を有する薄片が多数枚積層された積層体をなし、
前記積層体は、最上位置となる薄片の横方向の一辺寄りの上面と他辺寄りの上面とが、一枚の薄片を取り出す毎に交互に自由端となるように連接されていることを特徴とする、薄片付き容器。
【請求項２】
前記薄片収容室に収容された積層体のうちの最上位置の薄片の横方向の一辺または他辺は、前記取出窓から外側へ飛び出していることを特徴とする、請求項１に記載の薄片付き容器。
【請求項３】
前記積層体は、或る薄片の横方向の一辺寄りの上面は、その上側に位置する薄片の横方向一辺寄りの下面と、また、或る薄片の横方向他辺寄りの下面は、その下側に位置する薄片の横方向他辺寄りの上面と、それぞれ、引き剥し可能に接着されていることを特徴とする、請求項１または２に記載の薄片付き容器。
【請求項４】
前記内容物はガムを含み、前記薄片は、ガムを包んで捨てるための紙（捨て紙）を含むことを特徴とする、請求項１〜３のいずれか一項に記載の薄片付き容器。
【発明の詳細な説明】
【技術分野】
【０００１】
この発明は、付属物としての薄片が一枚ずつ取り出し可能に付設された所定の内容物を収容するための容器に関し、例えば、主に粒状のガムを裸のまま収容して小出し使用する携帯用のガム容器に関するものである。
【背景技術】
【０００２】
粒状のガムは、銀紙などにくるまれて容器に収納されている場合もあるが、一部の製品においては、裸のまま箱状の容器に収納されており、容器から適宜ガムを取り出して食べる。粒状のガムが、板状のガムのように紙に包装されていない場合、ガムを噛み終えた後は、自前のティッシュペーパー等に包んで捨てなければならない。
そこで、ガム容器に、ガムを包んで捨てるための紙（以下、この明細書では「捨て紙」という。）を付属させた捨て紙付ガム容器が種々提案されている。
【先行技術文献】
【特許文献】
【０００３】
【特許文献１】特許第４０００３８５号公報
【特許文献２】特開２００４−１７５３６２号公報
【特許文献３】特開２０１２−２５４１６号公報
【発明の概要】
【発明が解決しようとする課題】
【０００４】
従来の捨て紙付ガム容器に備えられている捨て紙は、取り扱い上の煩わしさがあり、改善の余地があった。
また、従来の捨て紙付ガム容器は、その構成が複雑であった。よって、より簡易な構成で、かつ、捨て紙を取り扱う上で利便性の高いものが望まれていた。
さらに、捨て紙付ガム容器に限らず、付属物としての薄片が一枚ずつ取り出し可能に付設された所定の内容物を収容するための容器、例えば手拭き紙付スナック容器やメモ紙付筆記具容器などを製造する場合にも、簡易な構成で、付属物としての薄片を取り扱いやすいものが望まれる。
【課題を解決するための手段】
【０００５】
この発明は、上記の課題を解決するためになされたものであり、その構成は請求項に記載の通りである。すなわち、請求項１記載の発明は、容器の外側を区画し、縦長長方形状の主面壁及び背面壁を有し、直方体形状をなす外箱と、前記外箱内に収容され、縦長長方形状の主面壁、背面壁及び一対の側面壁を有する角筒状に構成されていて、所定の内容物を収容するための収容室を区画するインナースリーブと、前記インナースリーブの背面壁と前記外箱の背面壁との間に区画された相対的に間隔が狭い隙間であって、前記外箱背面壁の内面と前記インナースリーブ背面壁の外面との対向する面方向に拡がりを有する薄片収容室と、を備えており、前記外箱背面壁には、薄片を収容および取り出すための取出窓が形成されており、当該取出窓の縦幅は薄片の縦幅と等しいか、または薄片の縦幅よりも０〜２割大きくされ、当該取出窓の横幅は薄片の横幅よりも短くされており、前記薄片収容室に収容される薄片は、所定寸法の縦幅および横幅を有する薄片が多数枚積層された積層体をなし、前記積層体は、最上位置となる薄片の横方向の一辺寄りの上面と他辺寄りの上面とが、一枚の薄片を取り出す毎に交互に自由端となるように連接されていることを特徴とする、薄片付き容器である。
【０００６】
請求項２記載の発明は、前記薄片収容室に収容された積層体のうちの最上位置の薄片の横方向の一辺または他辺は、前記取出窓から外側へ飛び出していることを特徴とする、請求項１に記載の薄片付き容器である。
請求項３記載の発明は、前記積層体は、或る薄片の横方向の一辺寄りの上面は、その上側に位置する薄片の横方向一辺寄りの下面と、また、或る薄片の横方向他辺寄りの下面は、その下側に位置する薄片の横方向他辺寄りの上面と、それぞれ、引き剥し可能に接着されていることを特徴とする、請求項１または２に記載の薄片付き容器である。
【０００７】
請求項４記載の発明は、前記内容物はガムを含み、前記薄片は、ガムを包んで捨てるための紙（捨て紙）を含むことを特徴とする、請求項１〜３のいずれか一項に記載の薄片付き容器である。
【発明の効果】
【０００８】
この発明によれば、薄片は、薄片収容室に収容されていて、次の１枚が引き出し易い形で露出しており、薄片を片手で容易に取り出すことができる。よって、利便性が改善された薄片付き容器とすることができる。
また、取出窓から、薄片は、１枚ずつ確実に取り出すことができ、取り扱いの容易な薄片付き容器を提供することができる。
【図面の簡単な説明】
【０００９】
【図１】図１は、この発明の一実施形態に係る捨て紙付ガム容器１０の構成例を示す外観斜視図である。
【図２】図２は、図１に示す捨て紙付ガム容器１０の線II−IIに沿う図解的な断面図である。
【図３】図３は、捨て紙３０，３０１，３０２の平面図である。
【図４】図４は、多数枚が積層された捨て紙３０の貼り合わせ構成（積層構造）を説明するための図である。
【図５】図５は、捨て紙３０の積層体を取出窓２１から捨て紙収容室１２に収容する場合の収容方法を説明するための図である。
【図６】図６は、図１に示した捨て紙付ガム容器１０の外箱１３およびインナースリーブ１６の展開図である。
【図７】図７は、この発明の他の実施形態のガム容器の展開図である。
【図８】図８は、この発明の他の実施形態のガム容器の展開図である。
【発明を実施するための形態】
【００１０】
以下には、図面を参照して、この発明の実施形態について具体的に説明をする。
以下に説明する実施形態では、薄片付き容器の一例として、捨て紙付ガム容器を取り上げて説明するが、この発明は、捨て紙付ガム容器に限定されるものではなく、例えば「手拭き紙付スナック容器」や「メモ帳付き筆記具容器」などの、付設物としての薄片の収納機能を備えた所定の内容物を収容するための容器を対象とするものであることを申し述べる。
【００１１】
図１は、この発明の一実施形態に係る捨て紙付ガム容器１０の斜視図である。また、図２は、図１に示す捨て紙付ガム容器１０の線II−IIに沿う断面構成を示す図である。
図１および図２を参照して、捨て紙付ガム容器１０は、粒状のガムＧを収容するためのガム収容室１１と、捨て紙３０を収容するための捨て紙収容室１２と、捨て紙収容室１２に収容された捨て紙３０の積層体とを有する。
【００１２】
ガム容器１０は、紙製で、外箱１３およびインナースリーブ１６を含んでいる。外箱１３は、１枚の紙が型抜きされ、折り曲げられ、糊付けされて形成されている。外箱１３は、薄型直方体形状をしており、縦長長方形状の主面壁１４および背面壁１５を有する。また、外箱１３内には、紙製で角筒状に構成されたインナースリーブ１６が配置されている。インナースリーブ１６の主面壁１７の外面は、外箱１３の主面壁１４の内面と接触している。
【００１３】
図２に示すように、外箱１３の側面壁１８の高さＨと、インナースリーブ１６の側面壁１９の高さｈとは、例えば約２ｍｍの寸法差が設けられている。すなわち、Ｈ≒ｈ＋２ｍｍとされている。このため、インナースリーブ１６の背面壁２０と外箱１３の背面壁１５との間には、約２ｍｍの相対的に間隔が狭い隙間であって、背面壁１５および背面壁２０の対向する内面方向に拡がりを有する捨て紙収容室１２が区画形成されている。
【００１４】
外箱１３の背面壁１５には、やや下方寄りの中央部に、平面視で矩形の取出窓２１が形成されている。取出窓２１は、その横幅をＬ１、その縦幅をＬ２とする。
そして、捨て紙収容室１２内には、捨て紙３０の積層体が収容されている。積層体は、捨て紙収容室１２内に収容可能な厚みの積層体であり、後述するように、捨て紙３０同士は互いに連接されている。
【００１５】
図３は、捨て紙３０，３０１，３０２の平面図である。捨て紙３０は、その横幅をＬ３、その縦幅をＬ２とすると、取出窓２１の縦幅Ｌ２は捨て紙の縦幅と同じか、もしくは０〜２割大きくなっている。取出窓２１の縦幅が捨て紙３０の縦幅よりも小さくなると、取出窓２１から捨て紙３０を収納できない。取出窓２１の縦幅が捨て紙３０の縦幅よりも２割を超えて大きくなると、収納された捨て紙３０の積層体が捨て紙収容室１２内で縦方向に大きくずれて不安定な状態となり、捨て紙３０を取り出しにくくなってしまう恐れがある。
【００１６】
さらに、捨て紙３０の横幅をＬ３とすると、Ｌ３に対する取出窓２１の横幅Ｌ１の比率は１：０．１〜０．５となる。すなわち、後述するように、捨て紙３０の積層体を取出窓２１を介して捨て紙収容室１２内に収納した場合、取出窓２１の左右方向中心線に対してほぼ線対称に収納されるため、捨て紙３０の積層体が捨て紙収容室１２の左側部分に隠れて見えない面積と、取出窓２１の面積（捨て紙３０が取出窓２１から見えている面積）と、捨て紙３０の積層体が捨て紙収容室１２の右側部分に隠れて見えない面積との比率が、２５：５０：２５〜４５：１０：４５、となる。捨て紙３０の横幅Ｌ３に対する取出窓２１の横幅Ｌ１の比率が０．１よりも小さくなると、取出窓２１が相対的に小さ過ぎて、取出窓２１からの捨て紙３０の積層体の収納が困難となってしまう。捨て紙３０の横幅Ｌ３に対する取出窓２１の横幅Ｌ１の比率が０．５よりも大きくなると、捨て紙３０の積層体が捨て紙収容室１２内で固定されず不安定な状態となり、捨て紙３０の積層体が取出窓２１から抜け落ちてしまう恐れがある。
【００１７】
捨て紙３０の横幅Ｌ３に対する外箱１３の横幅の比率は、Ｌ３とほぼ同じか、０〜１割大きくなっている。もしこの比率が１割を超えてしまうと、収納された捨て紙３０の積層体が捨て紙収容室１２内で横方向に大きくずれて不安定な状態となり、捨て紙３０を取り出しにくくなってしまう恐れがある。なお、捨て紙３０の横幅Ｌ３に対する外箱１３の横幅の比率は、０．５割大きくなっている状態が、捨て紙３０を取り出す際の安定性や、捨て紙３０の捨て紙収容室１２への収納しやすさの面から考えて、最も好ましい。
【００１８】
捨て紙３０は、横方向の一辺（たとえば左辺３１）寄りの上面領域３１Ａは、その上側に位置する捨て紙３０１の横方向一辺（たとえば左辺３１）寄りの下面領域３１Ｂと、引き剥がし可能に接着剤で接着されている。
また、捨て紙３０の横方向の他辺（たとえば右辺３２）寄りの下面領域３２Ｂは、その下側に位置する捨て紙３０２の他辺（たとえば右辺３２）寄りの上面領域３２Ａと、引き剥がし可能に接着剤で接着されている。
【００１９】
このため、多数枚が積層された捨て紙３０の積層体は、断面方向に見て図解的に表わせば、図４に示すように、上下方向に積層された捨て紙３０の左辺側および右辺側が、それぞれ、上方および下方に位置する捨て紙３０と引き剥がし可能に順次接続されて連接された積層構造となっている。
捨て紙３０は、その縦幅Ｌ２が、外箱１３の背面壁１５に形成された取出窓２１の縦幅Ｌ２と等しいか、もしくは、取出窓２１の縦幅が捨て紙の縦幅よりも０〜２割大きくなっている。また、捨て紙３０の横幅Ｌ３は、外箱１３の背面壁１５に形成された取出窓２１の横幅Ｌ１よりも大きくされている。このため、捨て紙３０の積層体は、図５に示すように、たとえばその左辺側を取出窓２１から捨て紙収容室１２内へ差し込むように挿入し、その左右方向中央部を撓めて、捨て紙３０の積層体の右辺側を取出窓２１から捨て紙収容室１２内右側へ挿入することにより、捨て紙３０の積層体を捨て紙収容室１２に収容することができる。
【００２０】
そして、この状態において、最上位置の捨て紙３０の接続されていない一辺側が取出窓２１から外方へ飛び出した状態とする。
こうすれば、取出窓２１から外方へ飛び出した捨て紙３０の一辺を引き出すことにより、最上位置の捨て紙を取出窓２１から取り出すことができる。そして、取り出された捨て紙３０の他辺寄りの下面領域は、その下方に積層された捨て紙の他辺寄りの上面領域と接着されているから、下方の捨て紙の他辺寄り領域は、取り出された捨て紙３０と一緒に取出窓２１の外側に引き出され、そして引き出された捨て紙と取り出された捨て紙３０との接着が引き剥がされる。
【００２１】
よって、次に取り出す捨て紙の他辺側が取出窓２１から外側へ飛び出した状態になる。
このように、この実施形態によれば、捨て紙３０は、取出窓２１から１枚ずつ取り出すことができ、１枚取り出した後、次の捨て紙の一辺側が、取出窓２１から外側へ飛び出した状態になる。従って、順次、一枚ずつ捨て紙の取り出しを行え、しかも最初の捨て紙の取り出しと同様に、容易に行うことができる。
【００２２】
図６に、図１に示した捨て紙付ガム容器１０の外箱１３およびインナースリーブ１６の展開図を示す。図６において、付した符号は、先に説明した構成符号と同じである。
上述の実施形態では、外箱１３内にインナースリーブ１６を収容し、インナースリーブ１６で区画されたガム収容室１１と、インナースリーブ１６の背面壁２０（ガム収容室１１との境界壁）と外箱１３の背面壁１５とで挟まれた相対的に間隔が狭く、各壁の対向する内面方向に拡がりを有する捨て紙収容室１２を設けた構成を説明した。
【００２３】
しかし、このような構成に代えて、たとえば外箱１３の展開図を工夫し、外箱１３で区画される収容室をいわゆる二重巻構造の収容室とし、ガム収容室１１および捨て紙収容室１２が区画された構成としてもよい。そのような捨て紙付ガム容器の展開図を、他の実施形態として、図７に示す。
図７において、捨て紙収容室１２とガム収容室１１とを区画するのが、境界壁２０である。
【００２４】
なお、図６および図７において示される実施形態においては、最上位置の捨て紙３０を外方へ飛び出させることなく、捨て紙積層体の全体が取出窓２１の中に入り込んでしまった場合、捨て紙積層体が捨て紙収容室１２内にて大きく移動してしまい、捨て紙３０を取り出すのが困難になってしまう。
このことを防止するために、取出窓２１の上辺と下辺にそれぞれ舌状片を設置したものを、他の実施形態として図８に示す。
【００２５】
図８に示される実施形態においては、上辺と下辺の二つの舌状片の上をまたぐような形で、捨て紙３０の積層体の左辺側と右辺側を捨て紙収容室１２内に収納する形をとる。また、取出窓２１の左辺と右辺のどちらかに、最上位置の捨て紙３０を取り出しやすくすることを目的として、指を引っ掛けるための切り欠きを設置する。この形態をとることにより、最上位置の捨て紙３０を外方へ飛び出させることなく、捨て紙３０の積層体を捨て紙収容室１２内に収納することができる。
【００２６】
なお、本発明は図８に示される形態に限らず、例えば、捨て紙３０が捨て紙収容室１２内に入り込んで大きく移動してしまうのを防ぐことを目的として、取出窓２１の上辺と下辺にそれぞれ舌状片を設ける構造のみを採用しても良い。
これらの形態をとることにより、捨て紙積層体が捨て紙収容室１２内で大きく移動してしまい、捨て紙３０を取り出しにくくなってしまう恐れも無い。
【００２７】
また、例えば、最上位置の捨て紙３０を取り出し易くすることを目的として、取出窓２１の左辺と右辺のどちらかに切り欠きを設置する構造のみを採用しても良い。
なお、本実施形態は、外箱１３とインナースリーブ１６を使用する形態に限らず、図７に示されるように、いわゆる二重巻構造の形態をとっても良い。
この発明は、以上説明した実施形態に限定されるものではなく、請求項記載の範囲内において種々の変更が可能である。
【００２８】
例えば、本発明で使用される捨て紙（薄片）３０の積層体は、捨て紙（薄片）の一辺（または他辺）寄りの上面領域とその上側に位置する捨て紙（薄片）の下面領域が接着剤で接着されている構造のもの（図３・図４参照）としたが、これに限らず、捨て紙（薄片）同士がミシン目で区切られて蛇腹状（ジグザグ）に折りたたまれている構造のものでも良い。
【００２９】
また、一般的なボックス型のティッシュペーパーの折り重なり方のように、捨て紙（薄片）が横方向中心線付近で折り込まれ、上方に位置する捨て紙（薄片）が二つに折られたその間に、下方に位置する捨て紙（薄片）の約半分が入り込むようにし、上方に位置する捨て紙（薄片）の折れ線が下方に位置する捨て紙（薄片）の横方向一辺とほぼ重なるようにして、順々に折り重ねられていく構造をとっても良い。
【００３０】
また、本発明の形態は捨て紙付ガム容器に限定されない。例えば、手拭き紙付きのチョコレート、チョコレート菓子、キャンディ、グミ、錠菓、ビスケット、スナック、煎餅、和菓子、サプリメント、魚介類加工品、魚肉加工品、獣肉加工品、乳製品、野菜加工品、漬物などの食品の収容容器とすることもできる。また、食品の収容容器に限らず、例えば、メモ帳付きの筆記具収容容器や脂取り紙付きの化粧品収容容器などとすることもできる。 
【００３１】
さらに、本発明にて使用される容器の材質は、紙に限定されず、熱可塑性樹脂や金属（缶）、ガラス、陶器、軟包装（例えば、プラスチックフィルム、アルミ箔、不織布など）などを用いても良い。特に、熱可塑性樹脂を材料とする場合は、インナースリーブや二重巻構造を用いずに、内容物の収容室と薄片の収容室を同時に成型したものを用いることもできる。
【００３２】
また、本発明にて使用される薄片の材質は、紙に限定されず、プラスチックフィルムやアルミ箔、不織布などを用いても良い。
【符号の説明】
【００３３】
１０    捨て紙付ガム容器
１１    ガム収容室
１２    捨て紙収容室
１３    外箱
１４    主面壁
１５    背面壁（上面壁）
１６    インナースリーブ
１７    主面壁
１８，１９    側面壁
２０    背面壁（境界壁）
２１    取出窓
３０，３０１，３０２    捨て紙
３１    左辺
３２    右辺
３１Ａ，３２Ａ    上面領域
３１Ｂ，３２Ｂ    下面領域
Ｇ  ガム
【図１】
0006526949.tif 000002
【図２】
0006526949.tif 000003
【図３】
0006526949.tif 000004
【図４】
0006526949.tif 000005
【図５】
0006526949.tif 000006
【図６】
0006526949.tif 000007
【図７】
0006526949.tif 000008
【図８】
0006526949.tif 000009